(57)【要約】【課題】窓ガラス、壁、床などに一時的に表示する場合、ガラス面などに接着剤・粘着剤残りがなく、また、掛け釘などを使用しなくても簡単に表示が可能であり、必要に応じて取り外し可能な表示ボードを提供すること。【解決手段】硬質樹脂シート（１）の一方の面に、表面に多数の凹部（２）を有する吸着性シート（３）が上記凹部を有する面を外側にして積層され、硬質樹脂シート（１）の外側表面または内側表面に文字、記号などの表示（４）が印刷されていることを特徴とする表示ボード。【選択図】図２
0003145503.tif 000002
【実用新案登録請求の範囲】
【請求項１】
硬質樹脂シート（１）の一方の面に、表面に多数の凹部（２）を有する吸着性シート（３）が上記凹部を有する面を外側にして積層され、硬質樹脂シート（１）の外側表面または内側表面に文字、記号などの表示（４）が印刷されていることを特徴とする表示ボード。
【請求項２】
硬質樹脂シート（１）の両面に、表面に多数の凹部（２）を有する吸着性シート（３）が上記凹部を有する面を外側にして積層され、吸着性シートの少なくとも一方の面に文字、記号などの表示（４）が印刷されていることを特徴とする表示ボード。
【請求項３】
表示（４）の印刷領域が、吸着性シートの表面積の７０％以下である請求項２に記載の表示ボード。
【請求項４】
吸着性シート（３）の表面に、剥離可能な保護フィルム（５）が積層されている請求項１〜３のいずれか１項に記載の表示ボード。
【考案の詳細な説明】
【技術分野】
【０００１】
本考案は、窓ガラス、壁、床などに接着剤、粘着剤、掛け釘などを使用せずに貼着可能な、各種文字や記号などの表示が印刷された表示ボードに関する。
【背景技術】
【０００２】
従来、建築中の家屋において、ガラスの破損防止や危険防止などの目的で、ガラス内面に「ガラス危険」などの文字を印刷した紙を貼着している。また、賃貸ビルにおいて、空室が生じた場合、窓の内側から「空室あり」などの表示をした紙を貼着している。また、中古車販売店などにおいて、車輛のフロントガラスなどに、その内面から価格などを記載した紙などを貼着している。また、各種事務所などの会議室などにおいて、一方の面に「使用中」を印刷表示し、他方の面に「空き」を印刷表示したプラスチックボードを掛け釘などに掛けて会議室の使用状態を表示することが行われている。
【考案の開示】
【考案が解決しようとする課題】
【０００３】
上記各種表示においては、印刷物の貼着に接着剤を用いたり、セロハンテープを用いたりしているが、表示が不要になって表示を除去すると、接着剤がガラス面に残ったり、セロハンテープの粘着剤がガラス面に残り、これに埃などが付着するため、接着剤や粘着剤を十分に除去することが必要である。また、表示ボードを壁面やドアに掛ける場合には、掛け釘などが必要であり、壁面やドアを傷付けることになる。
【０００４】
従って本考案の目的は、窓ガラス、壁、床などに一時的に表示する場合、ガラス面などに接着剤・粘着剤残りがなく、また、掛け釘などを使用しなくても簡単に表示が可能であり、必要に応じて取り外し可能な表示ボードを提供することである。
【課題を解決するための手段】
【０００５】
上記目的は以下の本考案によって達成される。すなわち、本考案は、硬質樹脂シート（１）の一方の面に、表面に多数の凹部（２）を有する吸着性シート（３）が上記凹部を有する面を外側にして積層され、硬質樹脂シート（１）の外側表面または内側表面に文字、記号などの表示（４）が印刷されていることを特徴とする表示ボードを提供する。
【０００６】
また、本考案は、硬質樹脂シート（１）の両面に、表面に多数の凹部（２）を有する吸着性シート（３）が上記凹部を有する面を外側にして積層され、吸着性シートの少なくとも一方の面に文字、記号などの表示（４）が印刷されていることを特徴とする表示ボードを提供する。この場合には、表示（４）の印刷領域が、吸着性シートの表面積の７０％以下であることが好ましい。
【０００７】
また、上記本考案においては、吸着性シート（３）の表面に、剥離可能な保護フィルム（５）が積層されていることが好ましい。
【考案の効果】
【０００８】
本考案によれば、窓ガラス、壁、床などに一時的に表示する場合、ガラス面などに接着剤・粘着剤残りがなく、また、掛け釘などを使用しなくても簡単に表示が可能であり、必要に応じて取り外し可能な表示ボードを提供することができる。
【考案を実施するための最良の形態】
【０００９】
次に考案を実施するための最良の形態を挙げて本考案をさらに詳しく説明する。本考案の表示シートの１実施例を図１〜３を参照して説明する。図１は、本考案の表示ボードの表面を示す図であり、表示ボード１０の面には、文字、記号などの表示４が印刷されている。この表示４は、数字、漢字、アルフベット、外国語などの文字であってもよいし、方向を示す矢印、その他の各種図形であってもよい。
【００１０】
図２は、図１に示す表示ボードの厚み方向に拡大した断面図であり、本考案の表示ボード１０は、図２に示すように、硬質樹脂シート１の一方の面に、表面に多数の凹部２を有する吸着性シート３が、上記凹部を有する面を外側にして積層され、硬質樹脂シート１の外側表面に文字、記号などの表示４が印刷されている。
【００１１】
上記硬質樹脂シートは、後述する柔らかい吸着性シート３にある程度の硬さ（腰）を付与する作用を有するもので、例えば、ポリエチレン、ポリプロピレン、ポリエチレンテレフタレート、ポリカーボネート、ポリスチレンなどの比較的硬い樹脂で形成され、厚みが０．０５〜１ｍｍ程度の樹脂のフィルムまたはシートである。この硬質樹脂シートは透明でも不透明でもよい。該硬質樹脂シートの表面には、前記の如き各種表示４が任意の印刷方法で印刷されており、印刷面と反対側の面には、吸着性シート３が粘着剤などにより貼合されている。
【００１２】
上記吸着性シートは、軟質塩化ビニル樹脂、軟質シリコン樹脂、軟質アクリル樹脂、軟質ウレタン樹脂、各種エラストマーからなるシートの表面に１０〜１００μｍ程度の径の凹部２が多数形成されたものであって、該凹部２を有する面を平滑な面に押圧密着させると、凹部の吸盤作用により上記平滑面に密着するものである。このような吸着性シートは市場から入手して本考案で使用することができる。上記吸着性シートの厚みは０．２〜２ｍｍ程度である。
【００１３】
図２に示す本考案の表示ボード１０は、前記表示４が印刷された硬質樹脂シート１の印刷されていない面に上記吸着性シート３を凹部２を外側に向けて粘着剤や接着剤或いは融着により接合させることにより得られる。この際、硬質樹脂シートは透明でも不透明でもよい。図３は、図２の１変形例であり、表示４は、吸着性シート３に接する硬質樹脂シート面に形成されており、この場合には、硬質樹脂シートは表示４が目視できる程度に透明であることが必要である。
【００１４】
上記吸着性シート３の表面には、該吸着性シート３の表面を保護する目的でポリエステル、ポリエチレン、ポリプロピレン、紙、離型紙などのフィルムを剥離可能に積層しておくことが好ましい。上記保護フィルム５の積層は、上記吸着性シートの吸盤作用により粘着剤などを使用することなく行なうことができ、本考案の表示ボードの使用時に剥離する。
【００１５】
本考案の別の実施形態の表示ボード１０を図４、５を用いて説明する。図４ａは表示ボートの表面を示し、図４ｂはその裏面を示す。図５は、図４に示す表示ボードの厚み方向に拡大した断面図である。この実施形態の表示ボード１０は、前記と同様な硬質樹脂シート１の両面に、前記と同様な吸着性シート３が凹部を有する面を外側にして積層され、吸着性シートの少なくとも一方の面、好ましくは両面に前記と同様な表示４が印刷されている。この実施形態においては、表示４の領域が、吸着性シートの表面積の７０％以下であることが好ましい。上記印刷領域が大きくなり過ぎると、前記凹部が表示印刷によって塞がれ、吸着性シートの吸着性が不足する。なお、保護フィルム５も前記と同様であり、この場合には保護フィルム５が両面に貼合されている。
【００１６】
次に図６を用いて、本考案の表示ボードの使用方法を説明する。表示部位が透明ガラス板６である場合は、図１〜３に示す表示ボードは、その保護フィルムを剥離し、露出した吸着性シートの面をガラス板６に押圧することで、ガラス板に表示ボードが密着する。この状態では、表示は室内側から観察される。この場合は不透明な壁、床、扉の場合と同じである。
【００１７】
一方、表示ボードが図４、５に示す形態の場合には、一方の保護フィルムを剥離し、露出した吸着性シートの面をガラス板６に押圧することで、ガラス板に表示ボードが密着する。この状態では、表示は室外側からも観察され、裏面の表示は室内側から観察される。また、室内の壁、床、扉などには一旦密着させた表示ボードを剥がし、反対側を貼合することで別の表示とすることができる。例えば、会議室の使用中には、図４ａに示す「使用中」の面を表にして会議室の扉に貼着し、会議室が空いた場合にはこれを剥離し、「空き」の表示面を表にして貼着することで会議室の使用状態を示すことができる。なお、本考案の表示ボードの形状は矩形に限定されず、多角形、円、楕円、文字、記号などの任意の形状であり得る。
【００１８】
以上のように本考案の表示ボードは、接着剤、粘着剤、掛け釘などを使用しないで、ガラスなどの平滑面に繰り返し貼着剥離ができ、貼着面を汚すことがなく、また、掛け釘などを設けることも不要である。
【産業上の利用可能性】
【００１９】
本考案によれば、窓ガラス、壁、床などに一時的に表示する場合、ガラス面などに接着剤・粘着剤残りがなく、また、掛け釘などを使用しなくても簡単に表示が可能であり、必要に応じて取り外し可能な表示ボードを提供することができる。
【図面の簡単な説明】
【００２０】
【図１】本考案の表示ボードの１実施例の正面図。
【図２】本考案の表示ボードの１実施例の断面図。
【図３】本考案の表示ボードの１実施例の断面図。
【図４】本考案の表示ボードの他の実施例の正面図と裏面図。
【図５】本考案の表示ボードの他の実施例の断面図。
【図６】本考案の表示ボードの使用方法を説明する図。
【符号の説明】
【００２１】
１：硬質樹脂シート
２：凹部
３：吸着性シート
４：表示
５：保護フィルム
６：ガラス板
１０：表示ボード
【図１】
0003145503.tif 000003
【図２】
0003145503.tif 000004
【図３】
0003145503.tif 000005
【図４】
0003145503.tif 000006
【図５】
0003145503.tif 000007
【図６】
0003145503.tif 000008